(57)【特許請求の範囲】
【請求項１】
建物の外部の機器と建物の内側の機器又は器具との間で流体を流通させる為の配管系の配管部材であって、
前記建物の基礎と建物の土台との間に配設される本体部材と、この本体部材に設けられた１又は複数の流体通路とを備え、
前記本体部材には、前記屋外の機器を支持する為のブラケットが設けられたことを特徴とする配管部材。
【請求項２】
建物の外部の機器と建物の内側の機器又は器具との間で流体を流通させる為の配管系の配管部材であって、
前記建物の基礎と建物の土台との間に配設される本体部材と、この本体部材に設けられた１又は複数の流体通路とを備え、
前記本体部材と密着状に前記基礎と土台間に配設される金属製のベース板部材であって、前記屋外の機器を支持する為のブラケットを有するベース板部材を設けた、
ことを特徴とする配管部材。
【請求項３】
前記流体通路は、本体部材に貫通状に一体的に組み込まれた管部材でもって構成されたことを特徴とする請求項１又は２に記載の配管部材。
【請求項４】
前記流体通路は、本体部材に形成した配管挿通孔に貫通させた管部材でもって構成されたことを特徴とする請求項１又は２に記載の配管部材。
【請求項５】
前記流体通路は、本体部材自体に形成した流体通路孔でもって形成されたことを特徴とする請求項１又は２に記載の配管部材。
【請求項６】
前記管部材の少なくとも外側端部には、管継手又は管継手接続部が設けられていることを特徴とする請求項３に記載の配管部材。
【請求項７】
前記流体通路孔の少なくとも外側端部には、管継手又は管継手接続部が設けられていることを特徴とする請求項５に記載の配管部材。
【請求項８】
前記本体部材は、１又は複数の電線を配線する為の電線通路を有することを特徴とする請求項１又は２に記載の配管部材。
【請求項９】
前記本体部材は、建物の屋外に臨むように配設したコンセントを有することを特徴とする請求項１又は２に記載の配管部材。
【請求項１０】
前記流体通路は、本体部材内部で分岐する分岐流体通路に構成されたことを特徴とする請求項１又は２に記載の配管部材。
【請求項１１】
前記流体通路は、本体部材内部で偏平な断面形状に形成されたことを特徴とする請求項１又は２に記載の配管部材。
【請求項１２】
前記本体部材は、前記基礎と土台間に取り外し可能に装着されることを特徴とする請求項１又は２に記載の配管部材。
【発明の詳細な説明】
【０００１】
【発明の属する技術分野】
本発明は、配管部材に関し、特に基礎と土台との間に配設されて建物の外部の機器と建物の内側の機器又は器具とを配管や電線で接続可能で、外部の機器又は器具を支持するブラケットを設けたものに関する。
【０００２】
【従来の技術】
従来、給湯器等の建物の外部（屋外）の機器と、暖房器具等の建物の内側（屋内）の機器又は器具との間で、湯、水等の流体を流通させるために、屋外の機器と屋内の機器等は複数の配管で接続される。また、屋外の機器は、電線により屋内の電源等と接続される。屋外の機器と屋内の機器又は器具とを配管や電線で接続するためには、建物の基礎もしくは外壁に複数の挿通孔を設け、これらの穴に夫々配管や電線を挿通して行うのが一般的である。
【０００３】
一方、近年、建物の基礎において、基礎コンクリートと土台との間に、高強度プラスチックもしくは硬質ゴム製のプレート状の複数のパッキンを所定間隔を空けて挟み込み、これら複数のパッキンにより基礎と土台との間に複数個所の隙間（厚さ約２０〜３０ｍｍ）を確保するように構成された構造も採用されつつある。このような構造では、前記の複数の隙間を利用して床下の換気を促進することができ、基礎の一部を切り欠いたりして換気孔を設ける必要がないため、基礎の一部に応力が集中することもなく、基礎の強度が不足することがない。
【０００４】
【発明が解決しようとする課題】
前記のように建物の基礎を構成した場合には、基礎と土台との間にパッキンを配設することで、基礎に応力集中を生じさせることなく床下の換気を促進することができるが、屋外の機器と屋内の機器又は器具とを配管や電線で接続するために、基礎に配管や電線を挿通する為の挿通孔を設けてしまうと、結局はこの挿通孔の部分に応力集中が生じることになり、基礎の強度が不足する虞がある。
【０００５】
また、外壁に挿通孔を設けた場合には、この挿通孔から外壁内部に湿気が侵入する虞もあり、この湿気は、特に、木造建築物において柱の耐久性を低下させるなどの悪影響を及ぼす。また、外壁に挿通孔を設けることにより建物の外観上の美観も損なわれる。さらに、基礎や外壁に挿通孔を設ける作業や、外壁に挿通孔を設けた場合のシール作業に手間がかかり、配管や配線の施工期間が長くなって施工コスト的に不利である。
本発明の目的は、基礎や外壁に穴を設けることなく屋外の機器と屋内の機器又は器具とを配管や電線で接続すること、建物の外観上の美観を保つこと、配管作業や配線作業を簡略化すること、等が可能な配管部材を提供することである。
【０００６】
【課題を解決するための手段】
請求項１の配管部材は、建物の外部の機器と建物の内側の機器又は器具との間で流体を流通させる為の配管系の配管部材であって、前記建物の基礎と建物の土台との間に配設される本体部材と、この本体部材に設けられた１又は複数の流体通路とを備え、前記本体部材には、前記屋外の機器を支持する為のブラケットが設けられたことを特徴とするものである。
【０００７】
建物の基礎と土台との間には複数の高強度プラスチックもしくは硬質ゴムなどで構成された複数のパッキンが所定の間隔を空けて挟み込まれ、これらのパッキンにより、基礎と土台の間には床下換気用の隙間が形成されている。本体部材は、パッキンと同じく高強度プラスチックもしくは硬質ゴムなどで構成されてパッキンとほぼ同じ厚さを有するものであり、この本体部材は、前記の複数の隙間の何れか１つに配設される。本体部材には、１又は複数の流体通路が設けられており、これら流体通路には、水、湯等の液体、天然ガス等の気体など、種々の流体を流通させることが可能である。これら流体通路を介して屋外の機器と屋内の機器又は器具との間で流体を流通させることができるため、基礎もしくは外壁に配管挿通用の穴を設けることなく、屋外の機器と屋内の機器又は器具とを配管で接続することができる。
前記本体部材には、前記屋外の機器を支持する為のブラケットが設けられたことを特徴とするものである。従って、屋外の機器をこのブラケットに取り付けることができるため、機器を外壁に取り付ける必要がない。
請求項２の配管部材は、建物の外部の機器と建物の内側の機器又は器具との間で流体を流通させる為の配管系の配管部材であって、前記建物の基礎と建物の土台との間に配設される本体部材と、この本体部材に設けられた１又は複数の流体通路とを備え、前記本体部材と密着状に前記基礎と土台間に配設される金属製のベース板部材であって、前記屋外の機器を支持する為のブラケットを有するベース板部材を設けたことを特徴とするものである。本体部材と、１又は複数の流体通路の作用については請求項１の作用と同様である。前記本体部材と密着状に前記基礎と土台間に配設される金属製のベース板部材であって、前記屋外の機器を支持する為のブラケットを有するベース板部材を設けたため、このベース板部材に異なる用途毎にユニット化した複数の本体部材を、必要に応じて選択して配設すると共に、ベース板部材に設けられたブラケットに屋外の機器を取り付けることができる。
【０００８】
請求項３の配管部材は、請求項１又は２の発明において、前記流体通路は、本体部材に貫通状に一体的に組み込まれた管部材でもって構成されたことを特徴とするものである。従って、本体部材に組み込まれた１又は複数の管部材を介して、屋外の機器と屋内の機器又は器具との間で流体を流通させることができる。
請求項４の配管部材は、請求項１又は２の発明において、前記流体通路は、本体部材に形成した配管挿通孔に貫通させた管部材でもって構成されたことを特徴とするものである。従って、本体部材の配管挿通孔を貫通する１又は複数の配管部材を介して、屋外の機器と屋内の機器又は器具との間で流体を流通させることができる。
【０００９】
請求項５の配管部材は、請求項１又は２の発明において、前記流体通路は、本体部材自体に形成した流体通路孔でもって形成されたことを特徴とするものである。従って、本体部材自体に形成された１又は複数の流体通路孔を介して屋外の機器と屋内の機器又は器具との間で流体を流通させることができる。
請求項６の配管部材は、請求項３の発明において、管部材の少なくとも外側端部には、管継手又は管継手接続部が設けられていることを特徴とするものである。従って、管継手又は管継手接続部により屋外の機器と管部材とを配管で容易に接続することができる。
【００１０】
請求項７の配管部材は、請求項５の発明において、前記流体通路孔の少なくとも外側端部には、管継手又は管継手接続部が設けられていることを特徴とするものである。従って、管継手又は管継手接続部により屋外の機器と流体通路孔とを配管で容易に接続することができる。
請求項８の配管部材は、請求項１又は２の発明において、前記本体部材は、１又は複数の電線を配線する為の電線通路を有することを特徴とするものである。従って、電線を電線通路に配線して、基礎もしくは外壁に電線挿通用の穴を設けることなく、屋外の機器と屋内の機器又は器具を接続することができる。
【００１１】
請求項９の配管部材は、請求項１又は２の発明において、前記本体部材は、建物の屋外に臨むように配設したコンセントを有することを特徴とするものである。従って、このコンセントに屋外の機器を接続して屋外の機器に電力を供給することができる。
請求項１０の配管部材は、請求項１又は２の発明において、前記流体通路は、本体部材内部で分岐する分岐流体通路に構成されたことを特徴とするものである。従って、本体部材内部にヘッダーを形成して、流体を本体部材内部で合流もしくは分流させることができる。
【００１２】
請求項１１の配管部材は、請求項１又は２の発明において、前記流体通路は、本体部材内部で偏平な断面形状に形成されたことを特徴とするものである。従って、本体部材の厚さが比較的薄い場合でも、本体部材内部で十分な流路面積を確保でき、流動抵抗を小さくすることができる。
【００１３】
【００１４】
請求項１２の配管部材は、請求項１又は２の発明において、前記本体部材は、前記基礎と土台間に取り外し可能に装着されることを特徴とするものである。従って、本体部材を交換したり、本体部材の装着位置を変えて屋外の機器の設置場所を変更したりすることができる。
【００１５】
【００１６】
【００１７】
【発明の実施の形態】
本発明の実施の形態について説明する。本実施形態は、屋外の給湯器と、暖房機器、風呂用給湯器具、台所や洗面台等の給湯器具等の屋内の機器又は器具との間で流体を流通させる為の配管系の配管部材に本発明を適用したものである。
図１に示すように、建物の基礎１と土台２との間には、高強度プラスチック製で、厚さが２０ｍｍ程度のプレート状のパッキン３が適当な間隔を空けて複数個配設されている。これらのパッキン３により、基礎と土台との間には複数の隙間４が形成され、これら隙間４は建物の床下の換気を行う為の換気口と同様の役割を果たす。従って、換気口を形成するために基礎１に開口又は切欠部を設ける必要がなく、基礎１に応力集中が生じないため、基礎１の強度が不足することがない。
【００１８】
図２、図３に示すように、前記の複数の隙間４の内の１つにおいて、屋外の給湯器７と暖房機器等の屋内の機器又は器具との間で流体を流通させる為の配管系の配管部材５が設けられる。この配管部材５は、プレート状の本体部材１０を備え、この本体部材１０はパッキン３とほぼ同じ厚さを有し、本体部材１０もパッキン３と同様に高強度プラスチックで構成されている。基礎１と土台２との間で、本体部材１０は基礎１と土台２とを連結するボルト６により固定されている。本体部材１０には、給湯器７を支持する支持部材８を取り付ける為の後述のブラケット２６が一体的に設けられている。このブラケット２６に支持部材８がボルト９により固定され、支持部材８を介して給湯器７が本体部材１０に取り付けられる。
【００１９】
次に、配管部材５について説明する。
図４に示すように、配管部材５は、本体部材１０と、この本体部材１０に貫通状に一体的に組み込まれた５本の管部材１１〜１５とを備えている。
本体部材１０には２つのボルト穴２０が上下に貫通状に形成され、これらボルト穴２０に前述のボルト６が挿通されて、本体部材１０は基礎１と土台２との間に固定的に配設される。本体部材１０の左右方向ほぼ中央部には、前方（屋外側）へ突出する突出部２１が形成され、この突出部２１の内部には管部材１１の前側部分が配設されている。突出部２１の右側にも前方へ突出する突出部２２が形成され、この突出部２２の内部には突出部２２の下面から屋外に臨むコンセント２３が配設されている。このコンセント２３に給湯器７の電源コード（図示略）が接続され、給湯器７に電力が供給される。
【００２０】
本体部材１０において突出部２２の右側には、本体部材１０を前後に貫通して電線通路２７を構成する電線挿通孔２４が形成され、この電線挿通孔２４には、例えば、給湯器７に付属する機器に電源を供給したりする為の電線２５が挿通される。本体部材１０の左右両端側部分には、２つの金属製のＬ字形のブラケット２６が夫々下向きに設けられ、これらブラケット２６には、夫々２本のボルトにより支持部材８が固定される。
【００２１】
管部材１１は、屋内の給湯器具に給湯する為のものであり、管部材１２，１３は、給湯器７と屋内の暖房機器との間で湯又は水を流通させる為のものであり、管部材１４，１５は、屋内の風呂用給湯器具との間で湯又は水を流通させる為のものである。これら管部材１１〜１５は、夫々金属で構成されている。
管部材１１は、本体部材１０の左右方向ほぼ中央部において、前後に貫通状に配設され、管部材１１の内部には流体通路３０が形成されている。管部材１１の前側部分は突出部２１の内部において下方へ折れ曲がるように配設されている。管部材１１の前端部（外側端部）には、突出部２１の下面から下方へ突出した管継手１１ａが設けられている。この管継手１１ａには、給湯器７と接続された給湯配管（図示略）が螺合可能である。管部材１１の後側部分は本体部材１０から後方へ突出し、管部材１１の後端部には、屋内の給湯器具と接続された配管（図示略）が接続可能である。
【００２２】
管部材１２，１３は、本体部材１０において管部材１１の左側で夫々前後に貫通状に配設され、管部材１２，１３の内部には夫々流体通路３１，３２が形成されている。管部材１２，１３の前側部分は夫々本体部材１０から前方へ突出し、管部材１２，１３の前端部には下方へ折れ曲がるように形成された管継手１２ａ，１３ａが夫々設けられている。これら管継手１２ａ，１３ａには、給湯器７と接続された暖房機器用の配管（図示略）が夫々螺合可能である。管部材１２，１３の後側部分は本体部材１０から後方へ夫々突出し、管部材１２，１３の後端部には、屋内の暖房機器用の配管（図示略）が夫々接続可能である。
【００２３】
管部材１４，１５は、本体部材１０において管部材１３の左側に配設され、管部材１４，１５の内部には夫々流体通路３３，３４が形成されている。管部材１４，１５の前端部には下方へ折れ曲がるように形成された管継手１４ａ，１５ａが夫々設けられ、これら管継手１４ａ，１５ａには、給湯器と接続された風呂用の配管（図示略）が夫々螺合可能である。管部材１４，１５の後端部には、屋内の風呂用の配管（図示略）が夫々接続可能である。
【００２４】
次に、配管部材５の作用について説明する。
図２に示すように、基礎１と土台２をボルト６で連結する前に、本体部材１０をボルト６に外嵌させ、その後、図３に示すように、基礎１と土台２とをボルト６で連結して本体部材１０を基礎１と土台２との間に固定する。本体部材１０を基礎１と土台２の間に固定した後、ブラケット２６に支持部材８をボルト９で固定し、給湯器７を支持部材８に取付ける。
【００２５】
給湯器７の取付け後、屋外の給湯器７と、屋内の給湯器具、暖房機器、風呂用給湯器具とを管部材１１〜１５を介して夫々配管で接続する。同時に、給湯器７の電源コードをコンセント２３に接続して給湯器７に電力を供給する。つまり、基礎１や建物の外壁に配管や電線の挿通孔を設けることなく、配管部材５を介して給湯器７と屋内の機器又は器具が接続される。
【００２６】
以上説明した配管部材５によれば、次のような効果が得られる。
１）本体部材１０が基礎１と土台２の間に配設され、この本体部材１０に組み込まれた管部材１１〜１５を介して、屋外の給湯器７と屋内の種々の機器又は器具との間で流体を流通させることができるため、建物の基礎１もしくは外壁に配管挿通用の穴を設ける必要がない。従って、基礎１に応力集中が生じず、基礎１の強度が不足することがない。また、外壁に穴を設けないために、外観上の美観を損なうこともないし、外壁内部に湿気が侵入して柱の耐久性が低下することもない。さらに、基礎１や外壁に挿通孔を設ける作業や、外壁に挿通孔を設けた場合のシール作業が不要であるため、配管の施工期間を短縮でき、施工コスト的に有利である。
【００２７】
２）本体部材１０に流体通路３０〜３４を構成する管部材１１〜１５が組み込まれているため、現地での配管施工時には、本体部材１０を基礎１と土台２との間に配設して給湯器７と管部材１１〜１５、管部材１１〜１５と屋内の機器や器具とを夫々配管で接続するだけで、給湯器７と屋内の機器又は器具とを接続できるため、施工作業が容易になり、施工期間を短縮することができる。
３）管部材１１〜１５の前端部には管継手１１ａ〜１５ａが設けられているため、給湯器７と管部材１１〜１５を配管で容易に接続することができる。
【００２８】
４）本体部材１０に、コンセント２３、電線挿通孔２４を設けたので、給湯器７をコンセント２３と接続して給湯器７に電力を供給することができるし、電線通路２７を構成する電線挿通孔２４に種々の電線２５を挿通して、例えば、給湯器７に付属する機器に電源を供給したりすることもできる。
５）本体部材１０に、給湯器７を支持する為のブラケット２６が設けられているので、給湯器７をこのブラケット２６を介して本体部材１０に取り付けることができ、給湯器７を外壁に取り付ける必要がないため、給湯器７の振動が建物に伝達しにくくなる。また、給湯器７を建物の外壁に取り付ける際には、強度的に問題の生じる場合もあるため、従来は内部に柱が通っている強度の高い位置にしか取り付けることができなかったが、本実施形態においては、給湯器７が取り付けられる本体部材１０の位置を自由に選択することができるため、給湯器７の設置面での自由度が広がる。さらに、このブラケット２６により給湯器７を取付けることで、給湯器７と本体部材１０との間の相対位置が決まるため、給湯器７と本体部材１０とを接続する配管として、同じサイズのものを量産したり又は一括して発注することができ、配管資材のコストを削減することができる。また更に、施工現場での現物合わせの配管作成作業が不要となる。
【００２９】
次に、前記実施形態に種々の変更を加えた変更形態について説明する。尚、前記実施形態と同じものについては、同じ符号を付して適宜その説明を省略する。
１〕変更形態１・・・図５参照
図５に示すように、配管部材５Ａの本体部材１０Ａにおいて、基礎１と土台２とを連結するボルト６を挿通する為のボルト穴２０Ａを、後方へ開放状且つ断面コの字状に形成してもよい。本体部材１０Ａが基礎１と土台２の間に配設されている状態では、ボルト穴２０Ａにボルト６が挿通されているため、本体部材１０Ａは基礎１に対して左右に移動することはないが、本体部材１０Ａを前方へ移動させることはできる。従って、給湯器７の仕様を変更したり、別の機器を追加したりして異なる種類の本体部材１０Ａが必要になった場合に、本体部材１０Ａを取り外したり、別の本体部材１０Ａと交換することができる。
【００３０】
２〕変更形態２・・・図６参照
図６に示すように、配管部材５Ｂの本体部材１０Ｂの左右両端部に、２枚の金属製の連結板４０を設け、これら連結板４０により本体部材５Ｂと土台２とを連結するように構成してもよい。もしくは、これら連結板４０により本体部材５Ｂと基礎１とを連結するように構成してもよい。この場合、連結板４０を取り外して本体部材５Ｂと基礎１又は本体部材５Ｂと土台２との連結を解除して、前記変更形態１と同様に本体部材５Ｂを取り外したり、別の本体部材５Ｂと交換することができる。また、この配管部材５Ｂにおいては、本体部材５Ｂを連結板４０により基礎１又は土台２に固定するため、基礎１と土台２とを連結するボルト６の位置に本体部材５Ｂを配設する必要がなく、基礎１と土台２との間の任意の隙間４に本体部材５Ｂを配設することができるため、配管部材５Ｂ、さらには給湯器７の設置面での自由度が広がる。
【００３１】
３〕変更形態３・・・図７参照
図７に示すように、配管部材５Ｃの本体部材１０Ｃ内部に、本体部材１０Ｃに一体的に組み込まれ本体部材１０Ｃ内部で複数（例えば３本）に分岐する分岐管部材４１により分岐流体通路４２を構成してもよい。このように分岐流体通路４２を構成することで、本体部材１０Ｃ内部にヘッダーを形成することができる。この為、給湯ヘッダー等を配管部材と別に設置する必要がなく、設置スペース的に有利である。尚、分岐流体通路４２は、屋外側、屋内側何れの側の通路部分を分岐させてもよい。
【００３２】
４〕変更形態４・・・図８、図９参照
図８、図９に示すように、配管部材５Ｄの本体部材１０Ｄ内部に設けられた流体通路４３を、本体部材１０Ｄ内部で偏平な断面形状に形成された偏平部４４ａを有する管部材４４で構成してもよい。偏平部４４ａの両端部と偏平部４４ａの前後両側の継手４４ｂ，４４ｃとは滑らかに一体的に接続されている。このように流体通路４３を構成することで、本体部材１０Ｄの厚さが比較的薄く、そのような本体部材１０Ｄに相当流量の流体を流通させる必要があるときでも、偏平部４４ａの内部で十分な流路面積を確保できるため、流体通路４３における流動抵抗を小さくすることができる。また、本体部材１０Ｄの厚さよりも径の大きい配管を接続することもできる。尚、偏平部４４ａの前後何れかの端部を分岐させて、偏平部４４ａの内部をヘッダーとして利用することも可能である。
【００３３】
５〕変更形態５・・・図１０参照
図１０に示すように、配管部材５Ｅにおいて、基礎１と土台２との間に金属製のベース板部材４５を設け、例えば２種類の本体部材４６，４７をベース板部材４５に密着状に配設してもよい。ベース板部材４５の左右両端部の前側部分には、給湯器７を支持する為の２つのブラケット４８が設けられている。２種類の本体部材４６，４７は夫々異なる用途に供するものであり、右側の本体部材４６，４７には、屋内の給湯器具に給湯する為の分岐管部材４９が組み込まれ、左側の本体部材４７には、給湯器７と屋内の暖房機器との間で流体を流通させる為の管部材５０が組み込まれている。
【００３４】
この配管部材５Ｅによれば、異なる用途毎に種々の管部材が設けられてユニット化された本体部材４６，４７を２種類以上準備し、取付ける機器又は器具の種類に応じて必要な種類の本体部材４６，４７を選択してベース板部材４５に配設することができるため、本体部材４６，４７の設計の自由度が広がる。また、ブラケット４８を介して給湯器７をベース板部材４５に取り付けることができるため、前記実施形態と同様の効果が得られる。
【００３５】
また、図５の変更形態１と同様に本体部材４６，４７のボルト穴を構成したり、図６の変更形態２と同様に複数の連結板により本体部材４６，４７と基礎１もしくは土台２とを連結したりして、本体部材４６，４７を取り外し可能に構成することもできる。この場合には、給湯器７の取り替えや、屋内の機器又は器具の追加・変更に応じて、不要な本体部材４６，４７を取り外したり、別の本体部材４６，４７に取り替えたりすることが可能になる。
【００３６】
６〕変更形態６・・・図１１参照
図１１に示すように、配管部材５Ｆにおいて、本体部材１０Ｆには、例えば４つの配管挿通孔５１が形成され、これら配管挿通孔５１に夫々貫通させた管部材５２でもって、本体部材１０Ｆ内部に流体通路５３を構成してもよい。この配管部材１０Ｆによれば、管部材５２を介して給湯器７と屋内の機器又は器具との間で流体を流通させることができる。また、本体部材１０Ｆを基礎１と土台２との間に配設してから、配管挿通孔５１に管部材５２を挿通して給湯器７と屋内の機器又は器具とを接続するので、配管の施工が容易になり、施工期間を短縮することができる。
【００３７】
７〕変更形態７・・・図１２参照
図１２に示すように、配管部材５Ｇにおいて、本体部材１０Ｇ自体に、例えば４つの流体通路孔５４が形成され、これら流体通路孔５４により本体部材１０Ｇ内部に流体通路５５を構成してもよい。４つの流体通路孔５４の前端部（外側端部）には夫々雌ネジ部５４ａ（管継手接続部）が形成され、４つの流体通路孔５４の内、右側の２つの流体通路孔５４の雌ネジ部５４ａには、夫々下方へ折れ曲がるように形成されたＬ字形の管継手５６が螺合されている。この配管部材１Ｇによれば、流体通路孔５４を介して給湯器７と屋内の機器又は器具との間で流体を流通させることができ、これら流体通路孔５４には管継手５６又は管継手接続部５４ａが設けられているので、給湯器７と流体通路孔５４とを配管で容易に接続することができる。
【００３８】
８〕本体部材１０を硬質ゴム、或いは金属で構成してもよい。また、本体部材１０の厚さは２０ｍｍ程度に限らず、基礎１と土台２の間に配設されるパッキン３の厚さ以下であれば種々の厚さのものを採用できる。例えば、図６の変更形態２のように、連結板４０等により本体部材１０Ｂが基礎１に対して相対的にずれないように構成すれば、本体部材１０Ｂの厚さをパッキン３の厚さとほぼ等しくする必要はない。また、本体部材１０を２個のパッキン３の間の隙間４に配設することに限定する必要はなく、本体部材自身をパッキン３の代用として配設してもよい。
【００３９】
９〕前記実施形態においては、管部材１１〜１５の前端部にのみ管継手１１ａ〜１５ａが設けられているが、勿論、管部材１１〜１５の後端部に管継手を設けてもよい。
１０〕ブラケット２６と支持部材８との間に、合成ゴム製の防震部材を設けることで、給湯器７の振動が建物に伝達するのをさらに抑えることができる。
１１〕屋外の機器には、空調機の室外機等、屋内の機器又は器具との間で流体を流通させるものであれば種々の機器を適用できる。
【００４０】
【００４１】
【００４２】
【発明の効果】
請求項１の発明によれば、本体部材が建物の基礎と土台との間に配設され、この本体部材には１又は複数の流体通路が設けられているので、流体通路を介して屋外の機器と屋内の機器又は器具との間で流体を流通させることができるため、建物の基礎もしくは外壁に配管挿通用の穴を設ける必要がない。従って、基礎に応力集中が生じず、基礎の強度が不足することがない。また、外壁に穴を設けないために外観上の美観を損なわず、外壁内部に湿気が侵入することがなく、柱の耐久性が低下することもない。さらに、基礎や外壁に挿通孔を設けたり、外壁に挿通孔を設けた場合のシール作業をする必要もないため、配管の施工期間を短縮でき、施工コスト的に有利である。
しかも、本体部材に、屋外の機器を支持するためのブラケットが設けられたので、屋外の機器をこのブラケットに取り付けることができるため、機器を外壁に取り付ける必要がなく、機器の振動が建物に伝達しにくくなる。また、機器が取り付けられる本体部材の位置を自由に選択することができるため、機器の設置面での自由度が広がる。さらに、このブラケットにより機器を取付けることで、機器と本体部材との間の相対位置が決まるため、機器と本体部材とを接続する配管として同サイズのものを量産したり又は一括して発注することができ、配管資材のコストを削減することができる。
請求項２の発明によれば、本体部材と１又は複数の流体通路については、請求項１と同様である。本体部材と密着状に基礎と土台間に配設される金属製のベース板部材であって、屋外の機器を支持する為のブラケットを有するベース板部材を設けたので、このベース板部材に１又は複数の本体部材を配設すると共に、ベース板部材に設けられたブラケットに屋外の機器を取り付けることができる。従って、異なる用途毎に種々の流体通路や管継手、電線通路等が設けられてユニット化された複数の本体部材を数種類準備し、取付けられる機器又は器具の種類に応じてこれら本体部材を選択してベース板部材に配設することができるため、本体部材の設計の自由度が広がる。
また、屋外の機器をブラケットに取り付けることができるため、機器を外壁に取り付ける必要がなく機器の振動が建物に伝達しにくくなる。また、機器が取り付けられる本体部材の位置を自由に選択することができるため、機器の設置面での自由度が広がる。さらに、このブラケットにより機器を取付けることで、機器と本体部材との間の相対位置が決まるため、機器と本体部材とを接続する配管として、同サイズのものを量産したり又は一括して発注することができ、配管資材のコストを削減することができる。
【００４３】
請求項３の発明によれば、流体通路が本体部材に貫通状に一体的に組み込まれた管部材でもって構成されたので、これら管部材を介して屋外の機器と屋内の機器又は器具との間で流体を流通させることができる。また、本体部材を基礎と土台との間に配設して屋外の機器と管部材、管部材と屋内の機器又は器具とを夫々接続するだけで、屋外の機器と屋内の機器又は器具とを接続することができるので、施工作業が容易になり、施工期間を短縮することができる。
【００４４】
請求項４の発明によれば、流体通路が本体部材に形成した配管挿通孔に貫通させた管部材でもって構成されたので、これら管部材を介して屋外の機器と屋内の機器又は器具との間で流体を流通させることができる。また、本体部材を基礎と土台との間に配設してから、配管挿通孔に管部材を挿通して屋外の機器と屋内の機器又は器具とを接続することができるので、配管の施工が容易になり、施工期間を短縮することができる。
【００４５】
請求項５の発明によれば、流体通路が本体部材自体に形成した流体通路孔でもって形成されたので、これら流体通路孔を介して屋外の機器と屋内の機器又は器具との間で流体を流通させることができる。
請求項６の発明によれば、管部材の少なくとも外側端部に、管継手又は管継手接続部が設けられているので、これら管継手又は管継手接続部により屋外の機器と管部材とを配管で容易に接続することができる。
【００４６】
請求項７の発明によれば、流体通路孔の少なくとも外側端部に、管継手又は管継手接続部が設けられているので、これら管継手又は管継手接続部により屋外の機器と流体通路孔とを配管で容易に接続することができる。
請求項８の発明によれば、本体部材は、１又は複数の電線を配線する為の電線通路を有するので、電線を電線通路に配線して屋外の機器と屋内の機器又は器具とを接続することができる。
【００４７】
請求項９の発明によれば、本体部材は、建物の屋外の臨むように配設したコンセントを有するので、このコンセントに屋外の機器を接続して屋外の機器に電力を供給することができる。
請求項１０の発明によれば、流体通路が、本体部材内部で分岐する分岐流体通路に構成されたので、本体部材内部にヘッダーを形成して流体を本体部材内部で合流もしくは分流させることができる。また、ヘッダーを配管部材と別に設置する必要もないため、設置スペース的に有利である。
【００４８】
請求項１１の発明によれば、流体通路が、本体部材内部で偏平な断面形状に形成されたので、本体部材の厚さが比較的薄く、そのような本体部材に相当流量の流体を流通させる必要があるときでも、偏平部において十分な流路面積を確保できるため、流体通路における流動抵抗を小さくすることができる。
【００４９】
【００５０】
【００５１】
【００５２】
請求項１２の発明によれば、本体部材は、前記基礎と土台間に取り外し可能に装着されるので、取付けられる機器又は器具の追加・変更に応じて本体部材を交換したり、本体部材の装着位置を変えることにより屋外の機器の設置場所を変更したりすることができる。
【００５３】
【図面の簡単な説明】
【図１】本発明の実施形態に係る基礎と土台の斜視図である。
【図２】配管部材と基礎と土台との関係（配管部材組付け前）を示す説明図である。
【図３】配管部材と基礎と土台との関係（配管部材組付け状態）を示す説明図である。
【図４】配管部材の斜視図である。
【図５】変更形態１の図４相当図である。
【図６】変更形態２の図４相当図である。
【図７】変更形態３の図４相当図である。
【図８】変更形態４の図４相当図である。
【図９】変更形態４の配管部材の縦断面図である。
【図１０】変更形態５の配管部材の斜視図である。
【図１１】変更形態６の図４相当図である。
【図１２】変更形態７の図４相当図である。
【符号の説明】
１      基礎
２      土台
５，５Ａ〜５Ｇ    配管部材
７      給湯器
１０，１０Ａ〜１０Ｄ，１０Ｆ，１０Ｇ，４６，４７  本体部材
１１〜１５，５０  管部材
１１ａ〜１５ａ    管継手
２３          コンセント
２７          電線通路
２５          電線
２６，４８    ブラケット
３０〜３４，４３，５３，５５    流体通路
４２    分岐流体通路
４５    ベース板部材
５１    配管挿通孔
５２    管部材
５４    流体通路孔
【図１】
0003743996.tif 000002
【図２】
0003743996.tif 000003
【図３】
0003743996.tif 000004
【図４】
0003743996.tif 000005
【図５】
0003743996.tif 000006
【図６】
0003743996.tif 000007
【図７】
0003743996.tif 000008
【図８】
0003743996.tif 000009
【図９】
0003743996.tif 000010
【図１０】
0003743996.tif 000011
【図１１】
0003743996.tif 000012
【図１２】
0003743996.tif 000013